(57)【要約】【課題】  収納する物品に応じて多数保管されている包装箱を嵩張らずに保管でき、使用に際してはワンタッチで側面パネル等が起立して物品が直ちに収納できる包装箱を提供することを目的とする。【解決手段】  長方形状の底面パネルと、底面パネルの四周辺に連ねた前面パネル、背面パネル、両側面パネルと、側面パネルと背面パネルとの間に側面パネルに連結した連結片と、背面パネルに連結した起立片と、連結片と起立片の先端どうしを連結し、起立片の外面を背面パネル外面に接着し、底面パネル・前面パネル、背面パネル・天面パネル、側面パネル・連結パネルが扁平に折り畳め、背面パネル・天面パネルを起こして両側の側面パネル・連結パネルを起立できるようにしたワンタッチで起こせる包装箱とした。【選択図】  図２
2008062936.tif 000002
【特許請求の範囲】
【請求項１】
長方形状の底面パネルと、底面パネルの四周辺に連ねた前面パネル、背面パネル、両側面パネルと、側面パネルと背面パネルとの間に側面パネルに連結した連結片と、背面パネルに連結した起立片と、連結片と起立片の先端どうしを連結し、起立片の外面を背面パネル外面に接着し、底面パネル・前面パネル、背面パネル・天面パネル、側面パネル・連結パネルが扁平に折り畳め、背面パネル・天面パネルを起こして両側の側面パネル・連結パネルを起立できるようにしたワンタッチで起こせる包装箱。
【請求項２】
連結パネルに保冷剤を保持する台形状の切り込みの保冷剤ポケットを刻設した請求項１記載のワンタッチで起こせる包装箱。
【請求項３】
長方形状の底面パネルと、底面パネルの四周辺に連ねた前面パネル、背面パネル、両側面パネルと、側面パネルと背面パネルとの間に側面パネルに連結した連結片と、側面パネルと前面パネルとの間に側面パネルに連結した連結片と、前面パネルに連結した起立片と、連結片と起立片の先端どうしを連結し、起立片の外面を背面パネル外面に接着し、底面パネル・前面パネル、背面パネル・天面パネル、側面パネルが扁平に折り畳め、背面パネル・天面パネルを起こして両側の側面パネルを起立できるようにしたワンタッチで起こせる包装箱。
【発明の詳細な説明】
【技術分野】
【０００１】
本発明は、ワンタンチで扁平にし、ワンタッチで起こして物品を収納できる包装箱、特にケーキ箱に関する。
【背景技術】
【０００２】
包装箱は、収納する物品に応じて多数保管されているが、嵩張らずに保管できるものは少なく、使用に際してはワンタッチで側面パネル等が十分に起立して物品が直ちに収納できるものはあまり多くない。
【特許文献１】特開平９−０２４９３０号公報
【発明の開示】
【発明が解決しようとする課題】
【０００３】
包装箱は、収納する物品に応じて多数保管されているが、嵩張らずに保管でき、使用に際してはワンタッチで側面パネル等が起立して物品が直ちに収納できるようにすることが求められている。
【課題を解決するための手段】
【０００４】
そこで、本発明は、上記の事情に鑑み、収納する物品に応じて多数保管されている包装箱を嵩張らずに保管でき、使用に際してはワンタッチで側面パネル等が起立して物品が直ちに収納できるようにすべく、長方形状の底面パネルと、底面パネルの四周辺に連ねた前面パネル、背面パネル、両側面パネルと、側面パネルと背面パネルとの間に側面パネルに連結した連結片と、背面パネルに連結した起立片と、連結片と起立片の先端どうしを連結し、起立片の外面を背面パネル外面に接着し、底面パネル・前面パネル、背面パネル・天面パネル、側面パネル・連結パネルが扁平に折り畳め、背面パネル・天面パネルを起こして両側の側面パネル・連結パネルを起立できるようにしたワンタッチで起こせる包装箱とした。
【０００５】
また、本発明は、収納した物品を保冷できるようにすべく、連結パネルに保冷剤を保持する台形状の切り込みの保冷剤ポケットを刻設したワンタッチで起こせる包装箱とした。      
【０００６】
さらに、本発明は、収納する物品に応じて多数保管されている包装箱を嵩張らずに保管でき、使用に際してはワンタッチで側面パネル等が起立して物品が直ちに収納できるようにすべく、長方形状の底面パネルと、底面パネルの四周辺に連ねた前面パネル、背面パネル、両側面パネルと、側面パネルと背面パネルとの間に側面パネルに連結した連結片と、側面パネルと前面パネルとの間に側面パネルに連結した連結片と、前面パネルに連結した起立片と、連結片と起立片の先端どうしを連結し、起立片の外面を背面パネル外面に接着し、底面パネル・前面パネル、背面パネル・天面パネル、側面パネルが扁平に折り畳め、背面パネル・天面パネルを起こして両側の側面パネルを起立できるようにしたワンタッチで起こせる包装箱とした。
【発明の効果】
【０００７】
本発明は、長方形状の底面パネルと、底面パネルの四周辺に連ねた前面パネル、背面パネル、両側面パネルと、側面パネルと背面パネルとの間に側面パネルに連結した連結片と、背面パネルに連結した起立片と、連結片と起立片の先端どうしを連結し、起立片の外面を背面パネル外面に接着し、底面パネル・前面パネル、背面パネル・天面パネル、側面パネル・連結パネルが扁平に折り畳め、背面パネル・天面パネルを起こして両側の側面パネル・連結パネルを起立できるようにしたワンタッチで起こせる包装箱であるので、収納する物品に応じて多数保管されている包装箱を嵩張らずに保管でき、使用に際してはワンタッチで側面パネル等が起立して物品が直ちに収納できる包装箱である。
【０００８】
また、連結パネルに保冷剤を保持する台形状の切り込みの保冷剤ポケットを刻設したので、収納した物品を保冷することができる。
【０００９】
さらに、本発明は、長方形状の底面パネルと、底面パネルの四周辺に連ねた前面パネル、背面パネル、両側面パネルと、側面パネルと背面パネルとの間に側面パネルに連結した連結片と、側面パネルと前面パネルとの間に側面パネルに連結した連結片と、前面パネルに連結した起立片と、連結片と起立片の先端どうしを連結し、起立片の外面を背面パネル外面に接着し、底面パネル・前面パネル、背面パネル・天面パネル、側面パネルが扁平に折り畳め、背面パネル・天面パネルを起こして両側の側面パネルを起立できるようにしたワンタッチで起こせる包装箱であるので、収納する物品に応じて多数保管されている包装箱を嵩張らずに保管でき、使用に際してはワンタッチで側面パネル等が起立して物品が直ちに収納できる。
【発明を実施するための最良の形態】
【００１０】
本発明を図面に示す具体例により、詳細に説明する。
【００１１】
図１はワンタッチで起こせる包装箱の一具体例のブランク図である。
【００１２】
ブランクは、長方形状の底面パネル１と、底面パネル１の四周辺に折り曲げ線２・３・４・５を介して連ねた前面パネル６、背面パネル７、両側面パネル８・９と、底面パネル１の外側に折り曲げ線１０・１１を介して突設した支持パネル１２・１３と、背面パネル７の上部に折り曲げ線１４を介して連ねた天面パネル１５と、側面パネル８・９の下部に折り曲げ線１６・１７を介し、前面パネル６の側部に切り込み１８・１９を介在させて設けた連結パネル２０・２１と、側面パネル８・９の上部と背面パネル７の側部との間に側面パネル８・９の上部に折り曲げ線２２・２３を介して連結した連結片２４・２５と、背面パネル７の側部にミシン目２６・２７を介して起立片２８・２９を連ね、連結片２４・２５の先端と起立片２８・２９の先端どうしを折り曲げ線３０・３１で連結し、前面パネル６の下部に折り曲げ線３２を介して支持パネル３３を突設し、前面パネル６と支持パネル３３との間の折り曲げ線３３の中央に切り込み３４を刻設し、天面パネル１５上部中央に折り曲げ線３５を介して差し込み片３６を設ける。切り込み３４に差し込み片３６を挿入可能とする。
【００１３】
連結パネル２０の下部には外側から切り込み３７を刻設して刻設して差し込み片３８を突設する。一方で、図示で右側の連結パネル２１の下部には内側から切り込み３９を刻設して差し込み片４０を突設して、前記連結パネル２０と連結パネル２１とを切り込み３７・３９に連結パネル２０・差し込み片３８，連結パネル２１・差し込み片４０を差し込んで連結パネル２０と連結パネル２１とを連結する。
【００１４】
連結パネル２０・２１には保冷剤を保持する台形状の切り込みの保冷剤ポケット４１・４２が刻設してある。
【００１５】
なお、符号４３、４４は、折り曲げによって発生する負荷を軽減するために設けた三角孔である。
【００１６】
図２に、起立片２８・２９と背面パネル７の接着構造を示す。
【００１７】
起立片２８・２９の外面と背面パネル７外面とを糊付けする。連結片２４・２５はミシン目３０・３１で折り畳まれているだけで、糊付けはされていない。それで、連結片２４・２５はミシン目３０・３１で連結されているが、起立片２８・２９と一体として移動するものではない。
【００１８】
図３に、本包装箱の扁平状態を説明する。
【００１９】
起立した背面パネル７・天面パネル１５を、背面パネル７を底面パネル１側へ折り畳むと、背面パネル７・天面パネル１５内面は、底面パネル１・天面パネル１５内面に当接する。この際、起立片２８・２９は連結片３０・３１に連結されているため、側面パネル８・９，連結パネル２０・２１も共に折り畳まれて、側面パネル８・９内面・連結パネル２０・２１内面が、側面パネル８・９外面・天面パネル１５外面に当接して扁平状にコンパクトに折り畳まれる。
【００２０】
図４に、本包装箱の側面パネル８・９等の起立状態を説明する。
【００２１】
両側面パネル８・９を起立させると、それに伴って背面パネル８、天面パネル１５も起立する。背面パネル８・天面パネル１５の背面パネル８を外方に向けて押圧すると、天面パネル１５の基端両側部が支持パネル１２・１３の端部に当接して背面パネル７・天面パネル１５は起立する。
【００２２】
図５に、本包装箱に保冷剤を装着した状態を示す。
【００２３】
連結パネル２０・２１の台形状の切り込みの保冷剤ポケット４１・４２は、保冷剤４５を挿入し、固定するものである。
【００２４】
保冷剤４５の先端部を箱内に位置させ、基端部を箱外に位置させて、保冷剤ポケット４１・４２で挟み込み固定する。図示は保冷剤ポケット４１にのみ保冷剤４５を装着した状態を示す。
【００２５】
本包装箱は保冷剤４５も装着でき、ケーキ箱としての使用に適する。
【００２６】
本包装箱では、箱の扁平・起立が「考えなくても容易にできる」、天面パネル１５の開け動作が容易なように、前面パネル６より天面パネル１５の先端１ｍｍ程度を突出させて「指の掛かりがある」ようにし、さらに「箱の中の物が出し易い」考慮も成されている。      
【００２７】
本包装箱の起立片、連結片の他の例を以下に示す。
【００２８】
図６は、起立片５８・５９、連結片６０・６１が前面パネル６側部と側面パネル８・９の下部に存在する。起立片５８・５９外面と側面パネル８・９外面とを糊付けする。  図７は、起立片６８・６９，７８・７９、連結片７０・７１，７２・７３が、背面パネル側部と側面パネル８・９下部との間に存在する。起立片６８・６９外面と背面パネル７外面は糊付けされる。
【００２９】
図７に示す発明は、図１〜図５に示す発明と異なり、三角孔を設けていない。から揚げ等の油で揚げられた食品を、本包装箱に収容した際の液漏れ防止機能を持たせたものである。
【実施例１】
【００３０】
ブランクの大きさは、４８５ｍｍ×６２４．５ｍｍである。
【産業上の利用可能性】
【００３１】
本発明は、特にケーキ箱のワンタッチで側面パネル等を起立させるものとして使用するが、一般の物品を収納する包装箱としても適用できる。
【図面の簡単な説明】
【００３２】
【図１】本発明のワンタッチで起こせる包装箱の一具体例のブランク図である。
【図２】本発明の起立片と背面パネルの接着構造を示す斜視図である。
【図３】本発明の包装箱の扁平状態を説明する斜視図である。
【図４】本発明の包装箱の側面パネル等の起立状態を説明する斜視図である。
【図５】本発明の包装箱に保冷剤を装着した状態を示す斜視図である。
【図６】本発明の他の実施例のブランク図である。
【図７】本発明の他の実施例のブランク図である。
【符号の説明】
【００３３】
１…底面パネル
６…前面パネル
７…背面パネル
８・９…側面パネル
２４・２５…連結片
２８・２９…起立片
２０・２１…連結パネル
４５…保冷剤
４１・４２…保冷剤ポケット
【図１】
2008062936.tif 000003
【図２】
2008062936.tif 000004
【図３】
2008062936.tif 000005
【図４】
2008062936.tif 000006
【図５】
2008062936.tif 000007
【図６】
2008062936.tif 000008
【図７】
2008062936.tif 000009